(57)【要約】【課題】スイッチ容量を容易に、かつ無制限に拡張することのできるクロスポイント装置およびクロスポイント装置用スイッチユニットを提供する。【解決手段】外部から入力または外部へ出力する通信回線の接続の切り替えを行うために、１または複数の端子から成るパラレルポートを１または複数個有する４つの接続手段と、前記パラレルポートを構成する各々の端子と接続される複数の信号入出力端子を有し、前記４つの接続手段の間の回線の接続を切り替えるスイッチ手段とを備えた複数のスイッチユニットの各々を、前記４つの接続手段を同一の側面に備えた略直方体状の筐体から構成する。【選択図】      図４
2004266617.tif 000002
【特許請求の範囲】
【請求項１】
外部から入力または外部へ出力する通信回線の接続の切り替えを行うために、１または複数の端子から成るパラレルポートを１または複数個有する４つの接続手段と、前記パラレルポートを構成する各々の端子と接続される複数の信号入出力端子を有し、前記４つの接続手段の間の回線の接続を切り替えるスイッチ手段とを備えた複数のスイッチユニットが、論理的にマトリックス状に接続されて成るクロスポイント装置であって、
前記複数のスイッチユニットの各々は、前記４つの接続手段を同一の側面に備えた略直方体状の筐体であること
を特徴とするクロスポイント装置。
【請求項２】
外部から入力または外部へ出力する通信回線の接続の切り替えを行うために、１または複数の端子から成るパラレルポートを１または複数個有する４つの接続手段と、前記パラレルポートを構成する各々の端子と接続される複数の信号入出力端子を有し、前記４つの接続手段の間の回線の接続を切り替えるスイッチ手段とを備えた複数のスイッチユニットが、論理的にマトリックス状に接続されて成るクロスポイント装置であって、
前記複数のスイッチユニットの各々は略直方体状の筐体であり、前記４つの接続手段のうち２つの接続手段を同一の側面に備えるとともに、前記２つの接続手段を備える側面と対向する側面に他の２つの接続手段を備えたこと
を特徴とするクロスポイント装置。
【請求項３】
外部から入力または外部へ出力する通信回線の接続の切り替えを行うために、１または複数の端子から成るパラレルポートを１または複数個有する４つの接続手段と、前記パラレルポートを構成する各々の端子と接続される複数の信号入出力端子を有し、前記４つの接続手段の間の回線の接続を切り替えるスイッチ手段とを備えた複数のスイッチユニットが、論理的にマトリックス状に接続されて成るクロスポイント装置であって、
前記スイッチユニットが、
前記スイッチ手段および前記４つの接統手段のうちの２つの接続手段を備えるスイッチボードと、
このスイッチボードに具備される前記２つの接続手段以外のいずれか一方の接続手段を備える第１のインタフェースボードと、
この第１のインタフェースボードおよび前記スイッチボードに具備される接続手段以外の接続手段を備える第２のインタフェースボードと、
前記スイッチボードと前記第１および第２のインタフェースボードとの間をそれぞれ電気的に接続する手段を備えるユニット内バックボードと
から構成されることを特徴とするクロスポイント装置。
【請求項４】
前記第１および第２のインタフェースボードのうちの少なくともいずれか一方は信号形式変換回路を備えたことを特徴とする請求項３記載のクロスポイント装置。
【請求項５】
前記スイッチ手段に対して前記４つの接続手段の間の回線の接続を切り替えるための制御信号を発生する制御手段
を更に備えたことを特徴とする請求項１乃至４のいずれか１項記載のクロスポイント装置。
【請求項６】
前記１または複数個のパラレルポートは、同数の入力ポートと出力ポートから成ることを特徴とする請求項１乃至５のいずれか１項記載のクロスポイント装置。
【請求項７】
前記スイッチ手段は、各接続手段が有するパラレルポートのうちの同一のパラレル番号を持つ端子とそれぞれ接続される部分スイッチを一つの前記パラレルポートを構成する端子の個数分備えて成ることを特徴とする請求項１乃至６のいずれか１項記載のクロスポイント装置。
【請求項８】
外部から入力または外部へ出力する通信回線の接続の切り替えを行うクロスポイント装置を構成するに際して、当該クロスポイント装置内の回線の接続を行うために、１または複数の端子から成るパラレルポートを１または複数個有する４つの接続手段と、前記パラレルポートを構成する各々の端子と接続される複数の信号入出力端子を有し、前記４つの接続手段の間の接続を切り替えるスイッチ手段とを備えたクロスポイント装置用スイッチユニットであって、
前記複数のスイッチユニットの各々は、前記４つの接続手段を同一の側面に備えた略直方体状の筐体であること
を特徴とするクロスポイント装置用スイッチユニット。
【請求項９】
外部から入力または外部へ出力する通信回線の接続の切り替えを行うクロスポイント装置を構成するに際して、当該クロスポイント装置内の回線の接続を行うために、１または複数の端子から成るパラレルポートを１または複数個有する４つの接続手段と、前記パラレルポートを構成する各々の端子と接続される複数の信号入出力端子を有し、前記４つの接続手段の間の接続を切り替えるスイッチ手段とを備えたクロスポイント装置用スイッチユニットであって、
前記複数のスイッチユニットの各々は略直方体状の筐体であり、前記４つの接続手段のうち２つの接続手段を同一の側面に備えるとともに、前記２つの接続手段を備える側面と対向する側面に他の２つの接続手段を備えたこと
を特徴とするクロスポイント装置用スイッチユニット。
【請求項１０】
外部から入力または外部へ出力する通信回線の接続の切り替えを行うクロスポイント装置を構成するに際して、当該クロスポイント装置内の回線の接続を行うために、１または複数の端子から成るパラレルポートを１または複数個有する４つの接続手段と、前記パラレルポートを構成する各々の端子と接続される複数の信号入出力端子を有し、前記４つの接続手段の間の接続を切り替えるスイッチ手段とを備えたクロスポイント装置用スイッチユニットであって、
前記スイッチ手段および前記４つの接統手段のうちの２つの接続手段を備えるスイッチボードと、
このスイッチボードに具備される前記２つの接続手段以外のいずれか一方の接続手段を備える第１のインタフェースボードと、
この第１のインタフェースボードおよび前記スイッチボードに具備される接続手段以外の接続手段を備える第２のインタフェースボードと、
前記スイッチボードと前記第１および第２のインタフェースボードとの間をそれぞれ電気的に接続する手段を備えるユニット内バックボードと
から構成されることを特徴とするクロスポイント装置用スイッチユニット。
【請求項１１】
前記第１および第２のインタフェースボードのうちの少なくともいずれか一方は信号形式変換回路を備えたことを特徴とする請求項１０記載のクロスポイント装置用スイッチユニット。
【請求項１２】
前記スイッチ手段に対して前記４つの接続手段の間の回線の接続を切り替えるための制御信号を発生する制御手段
を更に備えたことを特徴とする請求項８乃至１１のいずれか１項記載のクロスポイント装置用スイッチユニット。
【請求項１３】
前記１または複数個のパラレルポートは、同数の入力ポートと出力ポートから成ることを特徴とする請求項８乃至１２のいずれか１項記載のクロスポイント装置用スイッチユニット。
【請求項１４】
前記スイッチ手段は、各接続手段が有するパラレルポートのうちの同一のパラレル番号を持つ端子とそれぞれ接続される部分スイッチを一つの前記パラレルポートを構成する端子の個数分備えて成ることを特徴とする請求項８乃至１３のいずれか１項記載のクロスポイント装置用スイッチユニット。
【発明の詳細な説明】
【０００１】
【発明の属する技術分野】
本発明は、外部から入力または外部へ出力する通信回線の接続の切り替えを行うために、複数のスイッチユニット使用したクロスポイント装置およびクロスポイント装置用スイッチユニットに関する。
【０００２】
【従来の技術】
従来、外部インタフェースを介して入出力される通信回線の接続の切り替えを行うためのスイッチ装置として、様々なものが提案されている。
【０００３】
例えば、以下に示す特許文献１には、拡張スイッチモジュールを介して複数の単位スイッチモジュールを接続する技術が開示されている（以後、第１の従来技術と呼ぶ）。
【０００４】
この単位スイッチモジュールは、外部インタフェースと拡張用インタフェースを備える一方、拡張用スイッチモジュールは拡張用インタフェースを備えており、異なる単位スイッチモジュール間の経路を設定する。単位スイッチモジュールを増設する場合は、単位スイッチモジュールと拡張スイッチモジュールの拡張用インタフェースを互いに接続する。
【０００５】
また、２系統の入力ポートと出力ポートをもつ複数の単位スイッチボードをマトリックス状に接続する技術も開示されている（例えば、特許文献２を参照。以後、第２の従来技術と呼ぶ）。この場合、単位スイッチボードは、それぞれｍ個のポートからなる第１グループの入力および出力ポートと、同じくそれぞれｍ個のポートからなる第２グループの入力および出力ポートを有する（ｍは正の整数）。
【０００６】
【特許文献１】
特開２０００−３６８１７号公報
【０００７】
【特許文献２】
特開平１１−１４５９６０号公報
【０００８】
【発明が解決しようとする課題】
上述した従来技術のうち、第１の従来技術では、単位スイッチモジュールと拡張スイッチモジュールの２種類が必要であり、拡張スイッチモジュールの容量を増設できない場合は、増設可能な単位スイッチモジュールの個数が制限されることがあった。
【０００９】
また、第２の従来技術では、単位スイッチボード単体のｎ倍（ｎ：整数）のスイッチ容量を持つノンブロックスイッチ接続を実現するためには、ｎ×ｎ個の単位スイッチボードが必要となる。このため、ｎが大きい場合は単位スイッチボードの個数が非常に多くなり、単位スイッチボード間の接続が難しくなることがあった。
【００１０】
また、双方向の信号をペアにして使用するときには、入力と出力が別の単位スイッチボードにあるため、ペア実装が難しくなる場合もあった。
【００１１】
本発明は上記に鑑みてなされたものであり、その目的は、スイッチ容量を容易に、かつ無制限に拡張することのできるクロスポイント装置およびクロスポイント装置用スイッチユニットを提供することにある。
【００１２】
【課題を解決するための手段】
上記目的を達成するために、請求項１記載の発明は、外部から入力または外部へ出力する通信回線の接続の切り替えを行うために、１または複数の端子から成るパラレルポートを１または複数個有する４つの接続手段と、前記パラレルポートを構成する各々の端子と接続される複数の信号入出力端子を有し、前記４つの接続手段の間の回線の接続を切り替えるスイッチ手段とを備えた複数のスイッチユニットが、論理的にマトリックス状に接続されて成るクロスポイント装置であって、前記複数のスイッチユニットの各々は、前記４つの接続手段を同一の側面に備えた略直方体状の筐体であることを要旨とする。
【００１３】
ここでいう「論理的にマトリックス状に接続」とは、スイッチユニット間の接続による各スイッチユニットの論理的な位置が、行番号と列番号を用いたマトリックスのいずれかの成分として同定できることを意味しており、必ずしも物理的な配置を意味するものではない。この点については、以後の各請求項の記載についても同様である。
【００１４】
また、「通信回線」とは、電気信号を伝送する回線や、光信号を伝送する回線等を含む。
【００１５】
請求項２記載の発明は、外部から入力または外部へ出力する通信回線の接続の切り替えを行うために、１または複数の端子から成るパラレルポートを１または複数個有する４つの接続手段と、前記パラレルポートを構成する各々の端子と接続される複数の信号入出力端子を有し、前記４つの接続手段の間の回線の接続を切り替えるスイッチ手段とを備えた複数のスイッチユニットが、論理的にマトリックス状に接続されて成るクロスポイント装置であって、前記複数のスイッチユニットの各々は略直方体状の筐体であり、前記４つの接続手段のうち２つの接続手段を同一の側面に備えるとともに、前記２つの接続手段を備える側面と対向する側面に他の２つの接続手段を備えたことを要旨とする。
【００１６】
請求項３記載の発明は、外部から入力または外部へ出力する通信回線の接続の切り替えを行うために、１または複数の端子から成るパラレルポートを１または複数個有する４つの接続手段と、前記パラレルポートを構成する各々の端子と接続される複数の信号入出力端子を有し、前記４つの接続手段の間の回線の接続を切り替えるスイッチ手段とを備えた複数のスイッチユニットが、論理的にマトリックス状に接続されて成るクロスポイント装置であって、前記スイッチユニットが、前記スイッチ手段および前記４つの接統手段のうちの２つの接続手段を備えるスイッチボードと、このスイッチボードに具備される前記２つの接続手段以外のいずれか一方の接続手段を備える第１のインタフェースボードと、この第１のインタフェースボードおよび前記スイッチボードに具備される接続手段以外の接続手段を備える第２のインタフェースボードと、前記スイッチボードと前記第１および第２のインタフェースボードとの間をそれぞれ電気的に接続する手段を備えるユニット内バックボードとから構成されることを要旨とする。
【００１７】
請求項４記載の発明は、請求項３記載の発明において、前記第１および第２のインタフェースボードのうちの少なくともいずれか一方は信号形式変換回路を備えたことを要旨とする。
【００１８】
請求項５記載の発明は、請求項１乃至４のいずれか１項記載の発明において、前記スイッチ手段に対して前記４つの接続手段の間の回線の接続を切り替えるための制御信号を発生する制御手段を更に備えたことを要旨とする。
【００１９】
請求項６記載の発明は、請求項１乃至５のいずれか１項記載の発明において、前記１または複数個のパラレルポートは、同数の入力ポートと出力ポートから成ることを要旨とする。
【００２０】
請求項７記載の発明は、請求項１乃至６のいずれか１項記載の発明において、前記スイッチ手段は、各接続手段が有するパラレルポートのうちの同一のパラレル番号を持つ端子とそれぞれ接続される部分スイッチを一つの前記パラレルポートを構成する端子の個数分備えて成ることを要旨とする。
【００２１】
請求項８記載の発明は、外部から入力または外部へ出力する通信回線の接続の切り替えを行うクロスポイント装置を構成するに際して、当該クロスポイント装置内の回線の接続を行うために、１または複数の端子から成るパラレルポートを１または複数個有する４つの接続手段と、前記パラレルポートを構成する各々の端子と接続される複数の信号入出力端子を有し、前記４つの接続手段の間の接続を切り替えるスイッチ手段とを備えたクロスポイント装置用スイッチユニットであって、前記複数のスイッチユニットの各々は、前記４つの接続手段を同一の側面に備えた略直方体状の筐体であることを要旨とする。
【００２２】
請求項９記載の発明は、外部から入力または外部へ出力する通信回線の接続の切り替えを行うクロスポイント装置を構成するに際して、当該クロスポイント装置内の回線の接続を行うために、１または複数の端子から成るパラレルポートを１または複数個有する４つの接続手段と、前記パラレルポートを構成する各々の端子と接続される複数の信号入出力端子を有し、前記４つの接続手段の間の接続を切り替えるスイッチ手段とを備えたクロスポイント装置用スイッチユニットであって、前記複数のスイッチユニットの各々は略直方体状の筐体であり、前記４つの接続手段のうち２つの接続手段を同一の側面に備えるとともに、前記２つの接続手段を備える側面と対向する側面に他の２つの接続手段を備えたことを要旨とする。
【００２３】
請求項１０記載の発明は、外部から入力または外部へ出力する通信回線の接続の切り替えを行うクロスポイント装置を構成するに際して、当該クロスポイント装置内の回線の接続を行うために、１または複数の端子から成るパラレルポートを１または複数個有する４つの接続手段と、前記パラレルポートを構成する各々の端子と接続される複数の信号入出力端子を有し、前記４つの接続手段の間の接続を切り替えるスイッチ手段とを備えたクロスポイント装置用スイッチユニットであって、前記スイッチ手段および前記４つの接統手段のうちの２つの接続手段を備えるスイッチボードと、このスイッチボードに具備される前記２つの接続手段以外のいずれか一方の接続手段を備える第１のインタフェースボードと、この第１のインタフェースボードおよび前記スイッチボードに具備される接続手段以外の接続手段を備える第２のインタフェースボードと、前記スイッチボードと前記第１および第２のインタフェースボードとの間をそれぞれ電気的に接続する手段を備えるユニット内バックボードとから構成されることを要旨とする。
【００２４】
請求項１１記載の発明は、請求項１０記載の発明において、前記第１および第２のインタフェースボードのうちの少なくともいずれか一方は信号形式変換回路を備えたことを要旨とする。
【００２５】
請求項１２記載の発明は、請求項８乃至１１記載の発明において、前記スイッチ手段に対して前記４つの接続手段の間の回線の接続を切り替えるための制御信号を発生する制御手段を更に備えたことを要旨とする。
【００２６】
請求項１３記載の発明は、請求項８乃至１２のいずれか１項記載の発明において、前記１または複数個のパラレルポートは、同数の入力ポートと出力ポートから成ることを要旨とする。
【００２７】
請求項１４記載の発明は、請求項８乃至１３のいずれか１項記載の発明において、前記スイッチ手段は、各接続手段が有するパラレルポートのうちの同一のパラレル番号を持つ端子とそれぞれ接続される部分スイッチを一つの前記パラレルポートを構成する端子の個数分備えて成ることを要旨とする。
【００２８】
【発明の実施の形態】
次に、図面を参照して本発明の実施の形態を説明する。
【００２９】
（第１の実施形態）
図１は、本発明の第１の実施形態に係るクロスポイント装置１の概略構成を示す説明図である。同図に示すクロスポイント装置１は、論理的な接続関係としてマトリックス状に接続された複数のスイッチユニットＵから構成されている。図１に示す場合には、ＮＭ個のスイッチユニット（Ｎ行Ｍ列のマトリックス状に論理的に配置；Ｎ，Ｍは任意の正の整数）から構成される場合を示しており、各スイッチユニットは、その位置を同定し得るマトリックスの行番号と列番号を組み合わせた符号が付されている。例えば、Ｕ（１１）は、マトリックス状の配置で１行１列目であることを意味している。以後の全ての実施形態において、ｉ行ｊ列目（１≦ｉ≦Ｎ；１≦ｊ≦Ｍ；ｉ，ｊは整数）に配置されたスイッチユニットＵをＵ（ｉｊ）と記載することにする。また、例えば（ｉ＋１）行ｊ列目のスイッチユニットＵを表す場合には、不明確さを避けるためにＵ（ｉ＋１，ｊ）と行と列の間にカンマを入れて記載する。
【００３０】
これらのスイッチユニットＵのうち、第１列目に配置されるスイッチユニットＵ（ｉ１）は、外部インタフェース３として、外部からの通信回線と接続される。本実施形態において、外部からの通信回線とは、電気信号を伝送する回線や、光信号を伝送する回線等を含むものである。
【００３１】
図２は、本実施形態のクロスポイント装置１に適用されるスイッチユニットの構成を示す説明図である。同図に示すスイッチユニットＵ１は、各々が１または複数の端子から成るパラレルポートを１または複数個有する接続手段である４つのポート部１０１、１０２、１０３、および１０４、信号入出力端子を備えて各ポート間の回線の接続を切り替えるスイッチ手段としてＩＣ（Ｉｎｔｅｇｒａｔｅｄ  Ｃｉｒｃｕｉｔ）またはＬＳＩ（Ｌａｒｇｅ  Ｓｃａｌｅ  Ｉｎｔｅｇｒａｔｉｏｎ）等から成るスイッチ部１０５、少なくともこのスイッチ部１０５に制御信号を送信し、ポート間の接続を制御する制御手段としての制御部１０６を有している。
【００３２】
ポート部１０１は、ｍ個のパラレルポート（ｍは任意の正の整数）１１１、１１２、・・・、１１ｍを有している。各パラレルポートは、ｎ個（ｎは任意の正の整数）の信号線を接続するものであり、この結果、ポート部１０１は合計ｍｎ個の端子を有している。このうち、ｎ＝１の場合がシリアルポートに対応する。
【００３３】
他のポート部１０２、１０３、１０４もポート部１０１と同様の構成を有しており、スイッチユニットＵ１は合計で４ｍｎ個の端子を備えている。これらの各端子が、スイッチ部１０５の４ｍｎ個の信号入出力端子と信号線によりそれぞれ接続されていることはいうまでもない。
【００３４】
本実施形態においては、４つのポート部１０１、１０２、１０３、および１０４は同等なものであり、この意味では異なるスイッチユニットＵ１間を接続する際にどのポート部同士を接続しても支障はないが、以後の説明の便宜上、ポート部の接続に関しては以下の規則を適用することにする。
【００３５】
（１）ポート部１０１は、クロスポイント装置１の外部インタフェース３となるか、または、クロスポイント装置１を構成する別のスイッチユニットＵ１のポート部１０３と接続される。図３は、隣接するスイッチユニットＵ１間で、ポート部１０１とポート部１０３が接続される場合の接続例を示す説明図であり、各ポート部において、パラレルポート１１ｐ（１≦ｐ≦ｍ；ｐは整数）が有するｎ個の端子を１ｐ−１、１ｐ−２、・・・、１ｐ−ｎ（１ｐ−「パラレル番号」を意味）と記載している。図３の場合、同じ符号を有する端子同士が接続される。以後、異なるスイッチユニットＵ１間のポート部同士が接続される場合には、常にこの規則に従うものとする。
【００３６】
（２）ポート部１０２は、接続されないか、または、別のスイッチユニットＵ１のポート部１０４と接続される。
【００３７】
（３）ポート部１０３は、接続されないか、または、（１）でも述べたように、別のスイッチユニットＵ１のポート部１０１と接続される。
【００３８】
（４）ポート部１０４は、接続されないか、または、（２）でも述べたように、別のスイッチユニットＵ１のポート部１０２と接続される。
【００３９】
なお、全ての行が同じ列番号を有するようにスイッチユニットＵ１を接続する必要はなく、最低限必要な箇所を接続すれば充分であるが、少なくとも外部との入出力を行うスイッチユニットＵ１から成る第１列目は、全ての行にスイッチユニットＵ１が接続されていなければならない。
【００４０】
各スイッチユニットＵ１に設けられる制御部１０６は、少なくとも演算または制御機能を具備するＣＰＵ（Ｃｅｎｔｒａｌ  Ｐｒｏｃｅｓｓｉｎｇ  Ｕｎｉｔ）やメモリを備えた電子的な装置であり、クロスポイント装置１の外部に設けられるコンピュータと接続され、このコンピュータが有する演算、制御機能と協働してスイッチユニット間の接続を制御する。各制御部１０６およびコンピュータのメモリには、接続を制御するための情報（例えば制御プログラム等）が適宜格納され、これらの装置が協働して制御を行う際に、各々のメモリに格納された情報を読み出して処理を実行することはいうまでもない。
【００４１】
なお、各スイッチユニットＵ１には制御部１０６を設けずに、外部のコンピュータからの制御信号によって直接スイッチ部１０５の制御を行う構成にすることも勿論可能である。
【００４２】
以上の構成を有するクロスポイント装置１は、同じ構成を有する複数のスイッチユニットＵ１を接続していくだけで所望のスイッチ容量を得ることができ、増設時には既設のスイッチユニットＵ１間の接続部分を変更することなく容易に増設可能である。
【００４３】
ところで、前述したように、図１に示したマトリックス状の配置はあくまでも論理的な位置関係を示したものに過ぎず、物理的な配置については必ずしもこのように配置されるとは限らない。そこで、以後、スイッチユニットＵ１の具体的な構成例を説明する。
【００４４】
＜構成例１＞
図４は、スイッチユニットＵ１の具体的な構成例を示す斜視図である。同図に示すスイッチユニットＵ１は、スイッチ部１０５および制御部１０６を内部に備えた略直方体状の筐体であり、この筐体の一つの側面（以後、この側面を便宜的に前面と呼ぶ）をなす前面パネルＦＰに設けられる４つのコネクタを用いて各ポート部が構成されており、そのコネクタのいずれかのピンがポート部の端子のいずれかに対応している。このため、図４では、各コネクタに対して、対応するポート部と同じ符号を付してある。なお、図４に示す前面パネルＦＰのコネクタの物理的な配置はあくまでも一例に過ぎず、必ずしもこのような配置に限られるわけではない。
【００４５】
図５は、複数のスロットを有するラックの各スロットにスイッチユニットＵ１を搭載し、それら搭載したスイッチユニットＵ１間を接続することによって構成されるクロスポイント装置１の概要を示す説明図である。同図に示すスイッチユニットＵ１間の接続が、上述したポート部の接続に関する４つの規則に基いてなされるものであることはいうまでもない。この点については、以下に説明する全てのクロスポイント装置１についても同様である。
【００４６】
論理的マトリックス状の接続において同一の列番号ｊを有するスイッチユニットＵ１（ｉｊ）は、同一のラックＬｊ内に搭載される。図５では、列番号が３までのスイッチユニットＵ１の一部とそれらのスイッチユニットＵ１を収納するラックＬ１，Ｌ２，Ｌ３を示している。以後、ラックを列番号によって特別に区別する必要のない場合には、ラックに対して単に符号Ｌを付すことにする。
【００４７】
異なるスイッチユニットＵ１間において、コネクタ１０１とコネクタ１０３の間、コネクタ１０２とコネクタ１０４の間、および外部インタフェース３となるポート部１０１に対応するコネクタ１０１は、全て同様の接続用部材５１を用いて接続される。この接続用部材５１は、スイッチユニットＵ１  のコネクタにそれぞれ接続可能なコネクタを両端に備え、これら二つのコネクタの各ピン同士をケーブル等で接続することによって構成される。図５では、この接続用部材５１を用いたコネクタ間の接続を両方向矢印で示すことにより、複数のスイッチユニットＵ１  間の接続形態を概念的に示している。
【００４８】
なお、ポート部は、全ての端子に対応するピンを１つにまとめた１個のコネクタ、または、ポート部を分割した複数のコネクタを並列的に配置したものを用いることもある。
【００４９】
以上の接続において、行方向に接続されるスイッチユニットＵ１の個数がラックＬの収納容量（スロット数）を越える場合は別のラックＬに搭載し、行番号の一つ小さい方のスイッチユニットＵ１（ｋｊ）のコネクタ１０２と、そのスイッチユニットＵ１  （ｋｊ）よりも行番号の一つ大きい方のスイッチユニットＵ１  （ｋ＋１，ｊ）のコネクタ１０４とを接続用部材５１を用いて接続する（図６を参照）。
【００５０】
図６では、スイッチユニットＵ１（ｋｊ）とスイッチユニットＵ１（ｋ＋１，ｊ）は、論理的マトリックス状の接統において行方向に隣接するが、互いに異なるラックＬ１およびＬ２にそれぞれ収容されている。
【００５１】
このようにすることで、論理的マトリックス状の接続において行方向に隣接するスイッチユニットＵ１を１つのラックＬに収容しきれない場合にも対応できる。
【００５２】
以上説明したスイッチユニットＵ１から構成されるクロスポイント装置１は、他のスイッチユニットＵ１との接続方法がシンプルであるとともに、ラックＬにコンパクトに収納できるという利点を有する。
【００５３】
＜構成例２＞
図７は、本実施形態のスイッチユニットＵ１の第２の構成例を示す説明図である。このスイッチユニットＵ１は、同図（ａ）の斜視図に示すようにスイッチ部１０５および制御部１０６を内蔵した略直方体状の筐体の一つの側面をなす前面パネルＦＰに二つのポート部１０１および１０３にそれぞれ対応するコネクタ１０１および１０３が備えられている一方で、残りの二つのポート部１０２および１０４にそれぞれ対応するコネクタ１０２および１０４は、前面パネルＦＰと対向する側面である背面パネルＢＰに設けられていることを特徴とする。図７（ｂ）に矢視Ａ方向の側面図、すなわち背面パネルＢＰのコネクタ配置例を示す。
【００５４】
図８は、複数のスイッチユニットＵ１（ｉｊ）から構成されるクロスポイント装置１のラックＬヘの収容とスイッチユニットＵ１間の接続を示す説明図である。同図は、図５と同様に各スイッチユニットＵ１（ｉｊ）の前面パネルＦＰ側から見た側面図を示している。図８中の両方向矢印で示されている接続用部材５１のうち点線で表されているものは、各スイッチユニットＵ１（ｉｊ）のコネクタ１０２と１０４が背面パネルＢＰ側で接続されていることを表している。この点を除けば、他の構成は図５と同様である。
【００５５】
以上説明した第２の構成例においては、スイッチユニットＵ１を構成する筐体の互いに向かい合う対向面（前面と背面）を使い分けてコネクタを設置することにより、行方向に隣接するスイッチユニットＵ１間のコネクタ１０２とコネクタ１０４を接続するケーブル等の接続用部材５１が、列方向に隣接するスイッチユニットのコネクタ１０１とコネクタ１０３の接続を妨げることがないという効果が得られる。
【００５６】
この場合にも、論理的マトリックス状の接続において行方向に隣接するスイッチユニットＵ１を１つのラックＬに収容しきれない場合には、異なるラックＬを用いて対応可能である（図９を参照）。なお、図９の点線で示されている接続用部材５１の意味は図７と同様である。
【００５７】
ところで、この第２の構成例としては、各ラックＬが内部にバックボードを備えており、スイッチユニットＵ１を構成する筐体の背面パネルに設けられる２つのコネクタ１０２および１０４が、バックボード側に設けられるポート部と接続用部材を介さずに直接的に接続される場合も想定できる。この場合、１つのラックＬ内で行方向に隣接するスイッチユニットＵ１間がバックボードを介して接続されるように配線されている。したがって、図８中の点線の矢印は、この場合に限りバックボードを介しての接続を表すものとみなせる。
【００５８】
このようにラックＬにバックボードが設けられている場合には、スイッチユニットＵ１をラックＬに収容するだけで、行方向に隣接するスイッチユニットＵ１のコネクタ１０２とコネクタ１０４の間を接続することができる。
【００５９】
以上説明したスイッチユニットＵ１の二つの構成例では、コネクタの種類について特に言及していなかったが、これらについてはいくつかの場合を考慮することができる。
【００６０】
例えば、４つのコネクタをすべて電気コネクタまたは光コネクタのいずれかで統一する場合がある。
【００６１】
また、４つのコネクタのうち、１つのラックＬ内で行方向に隣接するスイッチユニットＵ１間の接続に使用されるコネクタ１０２および１０４を電気コネクタとする一方で、異なるラックＬに収容された、論理的マトリックス状の接続において列方向に隣接するスイッチユニットＵ１間の接続に使用される２つのコネクタ１０１および１０３を光コネクタとすることもできる。この場合には、光コネクタ間を光ファイバケーブルで接続する。ラックＬ内にバックボードが設けられる場合には、ポート部に相当するコネクタの仕様に応じたバックボード（およびバックボード用コネクタ）を適用する。
【００６２】
スイッチ部１０５に電気信号を用いてポート部側を光コネクタとする場合には、該当するポート部とスイッチ部１０５の間に信号形式を変換する信号形式変換回路を挿入しておく。
【００６３】
異なるラックに収められた２つのスイッチユニットＵ１間の接続にはある程度長い接続用部材（ケーブル）が必要になる。特に高周波の信号の場合、長い電気ケーブルを使って伝送すると信号の減衰量が大きくなるが、この接続用部材を光コネクタと光ファイバケーブルとから構成することによって上述した問題を解決できる。
【００６４】
以上説明した本発明の第１の実施形態によれば、１種類のスイッチユニットを増設するだけで、スイッチ容量を容易かつ無制限に拡張することができる。
【００６５】
また、本実施形態によれば、既設のスイッチユニット間の接続部分が稼動状態であっても、その接続部分に一切の影響を与えることなく、新たなスイッチユニットを増設することが可能となり、増設部分の接続も容易である。
【００６６】
さらに、本実施形態によれば、新たな接続に際して単純な経路選択を行うことができ、スイッチ容量拡張の際に必要なスイッチユニットが少なくて済む。
【００６７】
なお、このような本実施形態においては、一つのスイッチユニットに具備されるポート数が、上述した従来技術２の単位スイッチボードに具備されるポート数と比較して多いので、スイッチ容量拡張時に従来技術２ほど新たなスイッチユニットを用いることなく増設を行うことができる。
【００６８】
ところで、本実施形態のクロスポイント装置１に適用されるスイッチユニットとしては、図２に示すスイッチユニットＵ１に限られるわけではない。
【００６９】
例えば、各ポート部が、複数の入力ポートと出力ポートの対から成る双方向パラレルポートから構成される場合もある。この場合には、双方向パラレルポートのうち、各入力端子はスイッチ部１０５の信号入力端子に接続される一方で、各出力端子はスイッチ部１０５の信号出力端子に接続される。このように構成されるポート部は、入出力双方向の信号をペアにして使用する場合に好適である。
【００７０】
スイッチ部１０５のさらに具体的な例としては、３．１２５Ｇｂｉｔ／ｓの信号に対応したクロスポイントスイッチ（１６ｍ×１６ｍスイッチ；ｍは双方向パラレルポートの数）等が想定される。この１６ｍ×１６ｍクロスポイントスイッチは、１０ギガビットイーサネット（登録商標）による通信を行う場合に用いられるものである。
【００７１】
なお、入力ポートと出力ポートを上記のように一組として双方向パラレルな回線の接続を行う代わりに、入力ポートと出力ポートで独立な接続を行うことのできる構成にしてもよい。
【００７２】
ちなみに、本実施形態で想定されるパラレルポートの仕様としては、例えばセントロニクス仕様、ＩＥＥＥ  １２８４、ＳＣＳＩ（Ｓｍａｌｌ  Ｃｏｍｐｕｔｅｒ  Ｓｙｓｔｅｍ  Ｉｎｔｅｒｆａｃｅ）、ＩＤＥ（Ｉｎｔｅｇｒａｔｅｄ  Ｄｒｉｖｅ  Ｅｌｅｃｔｒｏｎｉｃｓ）、ＸＡＵＩ（１０  Ｇｉｇａｂｉｔ  Ａｔｔａｃｈｍｅｎｔ  Ｕｎｉｔ  Ｉｎｔｅｒｆａｃｅ）等をあげることができる。特に、ｎ＝１の場合であるシリアルポートの仕様としては、例えばＲＳ−２３２Ｃ（Ｒｅｃｏｍｍｅｎｄｅｄ  Ｓｔａｎｄａｒｄ  ２３２  ｖｅｒｓｉｏｎ  Ｃ）、ＩｒＤＡ（Ｉｎｆｒａｒｅｄ  Ｄａｔａ  Ａｓｓｏｃｉａｔｉｏｎ）、ＵＳＢ（Ｕｎｉｖｅｒｓａｌ  Ｓｅｒｉａｌ  Ｂｕｓ）、ＩＥＥＥ  １３９４等が想定される。
【００７３】
また、外部に信号を出力する出力ポートとスイッチ部１０５の信号出力端子間に、スイッチ部１０５の内部などで生じる経路長の差によるパラレル信号間の位相差を解消する機能を有するデスキュー回路を設けてもよい。これにより、さらに正確な回線の接続を実現することが可能となる。
【００７４】
ところで、本実施形態のクロスポイント装置１において、異なる二つのスイッチユニットＵ１の外部インタフェース３を結ぶ経路を選択する場合、およびスイッチユニットの増設によりクロスポイント装置１のスイッチ容量を拡張する場合等においては、各スイッチユニットＵ１に具備される制御部１０６同士または制御部１０６とクロスポイント装置１の外部に設けられるコンピュータを連携させることにより、最適な経路や増設位置を判断してそのコンピュータの出力装置に判断結果を表示する信号を送信する判断手段として機能させることもできる。
【００７５】
このようにクロスポイント装置１を制御（経路選択および増設）する際の制御プログラムは、外部に設けられるコンピュータに具備されたメモリに電子的に格納されている。この制御プログラムは、フレキシブルディスク、ＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｋ）、光磁気ディスク、ＰＣカード、ＲＯＭ等のコンピュータ読み取り可能な記録媒体に記録して広く流通させることも勿論可能である。
【００７６】
（第２の実施形態）
図１０は、本発明の第２の実施形態に係るスイッチユニットＵ２の概略構成を示す説明図である。同図に示すスイッチユニットＵ２を用いて構成されるクロスポイント装置１の構成は第１の実施形態と全く同じであり、論理的にマトリックス形状をなす接続形態を有する（図１を参照）。
【００７７】
本実施形態のスイッチユニットＵ２は、スイッチボードＳＢ１、二つのインタフェースボードＩＢ１およびＩＢ３（第１および第２のインタフェースボード）、スイッチユニットＵ２を収納する小ラック内に設けられるユニット内バックボードＢＢ１の４つの部分が接続されて構成される。
【００７８】
スイッチボードＳＢ１は、各々が１または複数の端子から成るパラレルポートを１または複数個有する４つの接続手段のうちの２つであるポート部２０２および２０４、２つのバックボード用ポート部２５ｂおよび２７ｂ、信号入出カ端子を備えて各ポート間の回線の接続を切り替えるスイッチ手段であるスイッチ部２０５、少なくともこのスイッチ部２０５に制御信号を送信し、ポート部間の接続を制御する制御手段である制御部２０６を有している。
【００７９】
ポート部２０２は、ｍ個のパラレルポート（ｍは任意の正の整数）を有している。各パラレルポートは、ｎ個（ｎは任意の正の整数）の信号線を接続するものであり、この結果ポート部２０１合計ｍｎ個の端子を有している。このうち、ｎ＝１の場合がシリアルポートに対応する。
【００８０】
他のポート部２０４やバックボード用ポート部２５ｂ、２７ｂもポート部２０２と同様の構成を有しており、スイッチボードＳＢ１は合計で４ｍｎ個の端子を備えている。ポート部２０２、２０４とバックボード用ポート部２５ｂ、２７ｂの各端子は、スイッチ部２０５の４ｍｎ個の信号入出カ端子と信号線によりそれぞれ接続されている。
【００８１】
インタフェースボードＩＢ１は、各々が１または複数の端子からなるパラレルポートを１または複数個有し、信号線により互いに接続されたポート部２０１とバックボード用ポート部２１ｂを備える。これらのポート部２０１とバックボード用ポート部２１ｂもポート部２０２と同様の構成を有している。インタフェースボードＩＢ３自体の構成およびこのインタフェースボードＩＢ３を構成するポート部２０３とバックボード用ポート部２３ｂも同様である。
【００８２】
ユニット内バックボードＢＢ１は、各々が１または複数の端子から成るパラレルポートを１または複数個有し、信号線により互いに接続されたバックボード用ポート部３１ｂ、３３ｂ、３５ｂ、および３７ｂを備える。これらの各バックボード用ポート部に対応するコネクタがポート部２０２と同様の構成を有していることもいうまでもない。また、ユニット内バックボードＢＢ１に設けられる信号線は、通常は電気的な信号を送受信可能なものであり、この意味で、バックボードポート部部３１ｂ、３３ｂ、３５ｂ、および３７ｂは電気コネクタである。
【００８３】
ポート部２０１、２０２、２０３、および２０４の接続に関しては、第１の実施形態と同じ規則を適用するものとする。
【００８４】
加えて、バックボード用ポート部間の接続に関しては、符号の下一桁の数字が一致するバックボード用ポート部間同士が接続されるものとする（例えば、２１ｂと３１ｂ、２５ｂと３５ｂ、等）。
【００８５】
図１１は、本実施形態に係るスイッチユニットＵ２の具体的な構成例を示す側面図であり、図１１（ａ）が前面パネルＦＰの側面図、図１１（ｂ）が背面パネルＢＰの側面図をそれぞれ表している（ここでの「前面」、「背面」もラックＬへの搭載を前提とした便宜的な呼称である）。このようなスイッチユニットＵ２を構成するスイッチボードＳＢ１、インタフェースＩＢ１およびＩＢ３は、すべて同一の大きさを有する略直方体状の筐体または前面と背面にパネルを備えた基板であり、このうちのスイッチボードＳＢ１の筐体にはスイッチ部２０５と制御部２０６が内蔵されている。図１１に示す場合には、これらの三つの筐体または基板がラックに収容されている状態を示しているが、それ以外にも、三つの筐体または基板を各々収容可能なスロットとユニット内バックボードを有する小ラック（図１１の一点鎖線に相当）を用い、この小ラックをラックＬの各スロットに収容するという構成をとってもよい。また、ラックＬが、複数組の三つの筐体または基板を各々収容可能なスロットと、ユニット間接続機能以外にユニット内バックボードの機能も加えたバックボードを有しており、ラックＬの正しい位置に複数組の三つの筐体または基板を収容するという構成をとってもよい。後者の構成の場合、ラックＬの正しい位置に筐体または基板を挿入するだけでユニット内およびユニット間が接続される。なお、制御部２０６をさらに別のボードに設けてこのボードをユニット内バックボードＢＢ１に接続し、ユニット内バックボードＢＢ１を介して制御信号を送信する構成にしてもよい。
【００８６】
なお、図１１および後述する図１２において設けられるコネクタは、図１０で同一符号を有する（バックボード用）ポート部にそれぞれ相当していることはいうまでもない。
【００８７】
図１２は、ユニット内バックボードＢＢ１の構成を示す説明図であり、同図に示すコネクタ３１ｂ、３３ｂ、３５ｂ、３７ｂ（バックボード用ポート部に相当）は、図１１（ｂ）に示すスイッチユニットＵ２の背面パネルＢＰに設けられる各コネクタと上述した規則にしたがって接続用部材５１を介さずに直接的に接続される。
【００８８】
図１３は、複数のスイッチユニットＵ２から梼成されるクロスポイント装置１のラックＬヘの搭載とスイッチユニットＵ２間の接続を示す説明図である。同図において、両方向矢印が接続用部材５１によるコネクタ間の接続を示すものであることは第１の実施形態と同様である（図５等を参照）。
【００８９】
図１４は、本実施形態のスイッチユニットＵ２を構成するインタフェースボードが信号形式変換回路２１ｃを備える場合を模式的に示す説明図である。同図に示す変換用インタフェースボードｔＩＢ１は、ポート部２０１として信号の形式や用途に応じたコネクタが対応している一方で、バックボード用ポート部２１ｂは、スイッチボードＳＢ１のバックボードコネクタ２５ｂ、２７ｂと同様のコネクタで、例えば、スイッチ部２０５が電気クロスポイントスイッチの場合は、電気コネクタである。変換用インタフェースボードｔＩＢ１は、クロスポイント装置１が、シリアルな光信号をパラレルな電気信号に変換してスイッチ部２０５に入力し、スイッチ部２０５から出力されたパラレルな電気信号をシリアルな光信号に変換する場合等に適用される。なお、ここではインタフェースボードＩＢ１が信号形式変換機能を有する場合を説明したが、もう一つのインタフェースボードＩＢ３についても同様に信号形式変換回路を設けた変換用インタフェースボードを接続することができるのは勿論である。
【００９０】
このような変換用インタフェースボードを用いることにより、一部または全てのインタフェースボードの入出カ信号の形式を変更したい場合に、スイッチユニットＵ２全体を取り替えることなく、信号形式を変更する必要があるインタフェースボードだけを変換用インタフェースボードに取り替えればよい。
【００９１】
一例として、ポート部２０１が光コネクタで、バックボード用ポート部２１ｂが電気コネクタである場合を想定することができる。この場合の信号形式変換回路２１ｃは光電気変換回路となる。これは、比較的コストがかかる光送信機を必要な部分だけに使用し、それ以外の部分（スイッチ部等）は電気を用いることで、コストを抑えるためにも好適である。
【００９２】
図１５は、外部インタフェース３が光信号で、スイッチユニットＵ２間は電気信号の場合のクロスポイント装置１の構成例を示す説明図である。同図においては外部インタフェース３のみ光信号のため、１行目のスイッチユニットＵ２（１ｊ）（１≦ｊ≦Ｎ；ｊは整数）のインタフェースボードＩＢ１だけを変換用インタフェースボードｔＩＢ１に取り替える。矢印が接続用部材によるコネクタ間の接続を示すのは他の図（例えば図１３等）と同じであるが、外部インタフェース３となる接続用部材６１だけは、コネクタが光コネクタであり、光コネクタを接続する部分は光ファイバである。そこで、図１４では、１行目のスイッチユニットＵ２（１ｊ）の変換用インタフェースボードｔＩＢ１に具備されるコネクタ２０１を他の電気コネクタ２０１と区別するために、接続用部材６１を概念的に表す両方向矢印およびコネクタ２０１を二重線を用いて記載してある。
【００９３】
図１６は、１行目のスイッチユニットＵ２（１ｊ）のみならず、論理的マトリックス状の接続において列方向に隣接するスイッチユニットＵ２間も光信号で送受信される場合のクロスポイント装置１の概略構成を示す説明図である。同図においては、すべてのスイッチユニットＵ２（ｉｊ）のインタフェースボードＩＢ１およびＩＢ３を変換用インタフェースボードｔＩＢ１およびｔＩＢ３に取り替える。
【００９４】
なお、変換用インタフェースボードのコネクタ２０１と光電気変換回路２１ｃの部分に、１０ギガビットイーサネット用トランシーバであるＸＥＮＰＡＫ（１０  Ｇｉｇａｂｉｔ  Ｅｔｈｅｒｎｅｔ  Ｔｒａｎｓｃｅｉｖｅｒ  Ｐａｃｋａｇｅ）モジュールを１または複数個用いることもできる。図１７は、ＸＥＮＰＡＫモジュール２１ｘ、２２ｘ、・・・、２２ｍを用いて構成される変換用インタフェースボードｔＩＢ’１の概略構成を示す説明図である。同図に示すように、光コネクタ側となるコネクタ２０１のインタフェースは１０Ｇｂｉｔ／ｓの双方向光信号である一方、電気コネクタであるバックボード用ポート部２１ｂに相当するコネクタ２１ｂのインタフェースは３．１２５Ｇｂｉｔ／ｓ、双方向各４レーンの電気信号（ＸＡＵＩ）である。
【００９５】
変換用インタフェースボードｔＩＢ’１を適用する場合の他の部位のインタフェースについて説明する。まず、スイッチ部２０５は、３．１２５Ｇｂｉｔ／ｓの信号に対応したクロスポイントスイッチである。スイッチボード１−ｓに具備されるコネクタのインタフェース、およびユニット内バックボード３００のバックボードコネクタのインタフェースはともに３．１２５Ｇｂｉｔ／ｓ、双方向各４レーンの電気信号（ＸＡＵＩ）である。
【００９６】
なお、これはあくまでも一例であり、外部インタフェース３の仕様に応じて、別のパッケージを適用可能である。
【００９７】
また、双方向パラレルポートを用いる場合には、第１の実施形態と同様に、出力ポートとスイッチ部２０５の信号出力端子間にデスキュー回路を設けることも勿論可能である。
【００９８】
以上説明した本発明の第２の実施形態が、上記第１の実施形態と同様の効果を奏するものであることはいうまでもない。
【００９９】
さらに、本実施形態によれば、一部または全てのインタフェースボードの入出カ信号の形式を変更したい場合に、スイッチユニット全体を取り替える代わりに、形式を変更する必要があるインタフェースボードだけを取り替えればよいので、接続の変更も容易であり、一段とコストの低減を図ることが可能となる。
【０１００】
（その他の実施形態）
本発明は、以上説明した二つの実施形態においてのみ特有の効果を奏するものと理解されるべきではない。
【０１０１】
１）スイッチ部を、必要な全スイッチ容量の１／ｎの容量を持つｎ個の小容量部分スイッチを互いに接続することによって構成してもよい。このとき、全てのパラレルポートのｊ番目の端子がｊ番目の部分スイッチに接続される（ｊは１〜ｎの整数）。また、各部分スイッチのピン番号が等しい信号入出力ピンは同じ端子に接続される。
【０１０２】
このようなスイッチ部を用いる場合、制御部は、ｎ個の部分スイッチに対して同じ制御信号を送るので、制御が容易になるとともに、制御部への負荷が軽減される。
【０１０３】
パラレルポートの数が大きくなる場合には、単一のスイッチ部を用いるとコスト面で高価になる可能性がある。これに対して、通常市販されている小容量の部分スイッチを複数個用いてスイッチ部を構成すれば、パラレルポートの数が大きくなっても低コストで済む場合もある。
【０１０４】
２）４つのポート部のパラレルポート数は全て同じである必要はなく、例えば第１の実施形態において、ポート部１０１および１０３のパラレルポート数ｍ１とポート部１０２および１０４のパラレルポート数ｍ２とは異なってもよい。実際に、ｍ１＜ｍ２の場合には、上記実施形態のクロスポイント装置１よりも少ない列数で経路を確保することができる（例えば、ｍ１＝２ｍ２の場合、全ての行の列数を１／２にすることができる）。
【０１０５】
このように、本発明は上述した実施形態と同様の効果を奏するさまざまな実施の形態等を含み得るものである。
【０１０６】
【発明の効果】
以上の説明からも明らかなように、本発明によれば、スイッチ容量を容易に、かつ無制限に拡張することのできるクロスポイント装置およびクロスポイント装置用スイッチユニットを提供することができる。
【図面の簡単な説明】
【図１】本発明の第１の実施形態に係るクロスポイント装置の概略構成を示す説明図である。
【図２】本発明の第１の実施形態に係るクロスポイント装置に適用されるスイッチユニットの構成を示す説明図である。
【図３】異なるスイッチユニット間の接続を具体的に示す説明図である。
【図４】本発明の第１の実施形態に係るスイッチユニットの具体的な構成例を示す斜視図である。
【図５】図５のスイッチユニットを用いたクロスポイント装置の概略構成を示す説明図である。
【図６】行方向にスイッチユニットを増設する時の接続例を示す説明図である。
【図７】本発明の第１の実施形態に係るスイッチユニットの具体的な第２の構成例を示す図である。
【図８】図７のスイッチユニットを用いたクロスポイント装置の概略構成を示す説明図である。
【図９】行方向にスイッチユニットを増設する時の第２の接続例を示す説明図である。
【図１０】本発明の第２の実施形態に係るクロスポイント装置に適用されるスイッチユニットの構成を示す説明図である。
【図１１】本発明の第２の実施形態に係るスイッチユニットの具体的な構成例を示す図である。
【図１２】ユニット内バックボードのコネクタの配置例を示す側面図である。
【図１３】図１１のスイッチユニットを用いたクロスポイント装置の概略構成を示す説明図である。
【図１４】変換用インタフェースボードの概略構成を示す図である。
【図１５】外部インタフェースが光ファイバであるときのクロスポイント装置の概略構成を示す説明図である。
【図１６】インタフェースボードが全て光電気信号変換を行うときのクロスポイント装置の概略構成を示す説明図である。
【図１７】ＸＥＮＰＡＫモジュールを用いた変換用インタフェースボードの概略構成を示す説明図である。
【符号の説明】
１  クロスポイント装置
３  外部インタフェース
２１ｂ、２３ｂ、２５ｂ、２７ｂ、３１ｂ、３３ｂ、３５ｂ、３７ｂ  バックボード用ポート部
２１ｃ  信号形式変換回路
２１ｘ、・・・、２ｍｘ  ＸＥＮＰＡＫモジュール
５１、６１  接続用部材
１０１、１０２、１０３、１０４、２０１、２０２、２０３、２０４  ポート部１０５、２０５  スイッチ部
１０６、２０６  制御部
ＢＢ１  ユニット内バックボード
ＢＰ  背面パネル
ＦＰ  前面パネル
ＩＢ１、ＩＢ３  インタフェースボード
Ｌ、Ｌ１、Ｌ２、Ｌ３  ラック
ＳＢ１  スイッチボード
ｔＩＢ１、ｔＩＢ’１、ｔＩＢ３  変換用インタフェースボード
Ｕ、Ｕ１  、Ｕ２  スイッチユニット
【図１】
2004266617.tif 000003
【図２】
2004266617.tif 000004
【図３】
2004266617.tif 000005
【図４】
2004266617.tif 000006
【図５】
2004266617.tif 000007
【図６】
2004266617.tif 000008
【図７】
2004266617.tif 000009
【図８】
2004266617.tif 000010
【図９】
2004266617.tif 000011
【図１０】
2004266617.tif 000012
【図１１】
2004266617.tif 000013
【図１２】
2004266617.tif 000014
【図１３】
2004266617.tif 000015
【図１４】
2004266617.tif 000016
【図１５】
2004266617.tif 000017
【図１６】
2004266617.tif 000018
【図１７】
2004266617.tif 000019